(57)【要約】【課題】本発明は、ナースコール子機を本体ごと動かすことなく、アームの先端部でセンサの位置や方向を微調整することのできるナースコール子機を提供する。【解決手段】ナースコール子機１は、フレキシブルアーム３と、このフレキシブルアーム３の先端３ｂに設けられるマウント部５に回動可能に嵌合するセンサヘッド４と、このセンサヘッド４の先端４ａに配置される接触センサ６と、センサヘッド４に内蔵されてセンサヘッド４の回動中心線Ａから半径方向の外向きに検出部が設けられるコンデンサマイク７および光学式センサ８と、マウント部５からセンサヘッド４に向けて形成されるマウント側係止部５ｃと、センサヘッド４からマウント部５に向けて形成されてマウント部５に対してセンサヘッド４が１周回動するまでの間にマウント側係止部５ｃと当接するヘッド側係止部４ｅとを備える。【選択図】      図１
2005152046.tif 000002
【特許請求の範囲】
【請求項１】
本体に固定される基端から先端までの途中を自在に湾曲させた状態に維持して被看護者の口元に前記先端が位置決めされるフレキシブルアームと、
前記フレキシブルアームの先端に設けられるマウント部に回動可能に基端が嵌合するセンサヘッドと、
前記センサヘッドの先端に配置されて前記センサヘッドの回動中心線に対して全方位から接触可能に検出面が形成される接触センサと、
前記センサヘッドに内蔵されて前記センサヘッドの回動中心線から半径方向の外向きに検出部が設けられる指向性センサと、
前記マウント部と前記センサヘッドとの間で前記マウント部から前記センサヘッドに向けて形成されるマウント側係止部と、
前記センサヘッドと前記マウント部との間で前記センサヘッドから前記マウント部に向けて形成されて前記マウント部に対して前記センサヘッドが１周回動するまでの間に前記マウント側係止部と当接するヘッド側係止部と
を備えることを特徴とするナースコール子機。
【請求項２】
前記指向性センサは、圧力センサと音センサと光学式センサとの中から選択される少なくとも１つであることを特徴とする請求項１に記載のナースコール子機。
【請求項３】
前記マウント部に向けて前記センサヘッドの前記基端の内側に円環状の嵌合溝が形成され、前記センサヘッドに向けて前記マウント部の外周に前記嵌合溝に嵌る円環状の嵌合凸部が形成されることを特徴とする請求項１または請求項２に記載のナースコール子機。
【発明の詳細な説明】
【技術分野】
【０００１】
本発明は、被看護者が看護者を呼び出す場合に使用されるナースコール装置の子機であって、アームの先端に複数のセンサを備えるナースコール子機に関する。
【背景技術】
【０００２】
被看護者の中には、意識はあっても、自力で起き上がったり手足を動かしたりすることのできない様態の方もいる。このような方々が看護者を呼び出すために、接触式センサを備えるナースコール子機や呼気の圧力を検出する圧力センサを備えるナースコール子機がある（例えば、特許文献１参照。）。
【０００３】
接触式センサを備えるナースコール子機は、姿勢を自在に変えることのできるアームを備えており、このアームの先端に設けられた接触式センサを被看護者が自分の意志で動かせる部位の近傍に位置決めする。また、圧力センサを備えるナースコール子機は、呼気を吹き込むストローの先端を自在アームによって被看護者の口元の近くに保持している。
【特許文献１】特開平８−１１７２９６号公報
【発明の開示】
【発明が解決しようとする課題】
【０００４】
姿勢を自在に変えることのできるアームは、いわゆるフレキシブルアームとしてよく知られているが、このようなアームは、全体が自由に曲がるように構成されおり、多少の捩れも許容しているが、先端部を反転させるほどの大きな捩れを許容していない。したがって、アームの先端に指向性の有るセンサを備える場合、センサの検出方向を所望する方向に向けるために、ナースコール子機を本体ごと動かして向きを変えなければならない場合がある。したがって、センサの位置を微調整することが困難である。
【０００５】
そこで、本発明は、ナースコール子機を本体ごと動かすことなく、アームの先端部でセンサの位置や方向を微調整することのできるナースコール子機を提供することを目的とする。
【課題を解決するための手段】
【０００６】
本発明に係るナースコール子機は、本体に固定される基端から先端までの途中を自在に湾曲させた状態に維持して被看護者の口元に先端が位置決めされるフレキシブルアームと、このフレキシブルアームの先端に設けられるマウント部に回動可能に基端が嵌合するセンサヘッドと、このセンサヘッドの先端に配置されてセンサヘッドの回動中心線に対して全方位から接触可能に検出面が形成される接触センサと、センサヘッドに内蔵されてセンサヘッドの回動中心線から半径方向の外向きに検出部が設けられる指向性センサと、マウント部とセンサヘッドとの間でマウント部からセンサヘッドに向けて形成されるマウント側係止部と、センサヘッドとマウント部との間でセンサヘッドからマウント部に向けて形成されてマウント部に対してセンサヘッドが１周回動するまでの間にマウント側係止部と当接するヘッド側係止部とを備える。
【０００７】
この場合、指向性センサは、圧力センサと音センサと光学式センサとの中から少なくとも一つ選択する。また、マウント部に向けてセンサヘッドの基端の内側に円環状の嵌合溝を形成し、センサヘッドに向けてマウント部の外周に嵌合溝に嵌る円環状の嵌合凸部を形成する。
【発明の効果】
【０００８】
本発明似かかるナースコール装置によれば、フレキシブルアームの先端にセンサヘッドが回動可能に設けられているので、ナースコール子機ごと動かすことなく、アームの先端部でセンサの位置や方位を微調整することができる。すなわち、センサヘッドの先端に設けられた接触センサの位置を変えることなく、指向性センサの向きを微調整することができる。
【発明を実施するための最良の形態】
【０００９】
本発明に係る一実施形態のナースコール子機１について、図１および図２を参照して説明する。図１に示すように、ナースコール子機１は、本体２とフレキシブルアーム３とセンサヘッド４とを備える。本体２は、被看護者の頭部の近くに置かれる台などに据えられる。フレキシブルアーム３は、基端３ａから先端３ｂまでの途中を自在に湾曲させた状態に維持することができる。フレキシブルアーム３の基端３ａは、本体２の上部２ａに固定され、先端３ｂは、被看護者の口元に位置決めされる。フレキシブルアーム３の先端３ｂには、センサヘッド４を支持するマウント部５が設けられている。
【００１０】
センサヘッド４の先端４ａには、接触センサ６の検出面６ａが露出している。接触センサ６の検出面６ａは、センサヘッド４の回動中心線Ａに対して全方位から接触できるように、本実施形態においては、回動中心線Ａに沿う円筒面と、この円筒面の先端を塞ぐ球面とで構成されている。検出面６ａは、球状またはドーム状に設けられていても良い。センサヘッド４の胴部４ｂには、回動中心線Ａから半径方向の外向きに検出部が向けられた指向性センサと確認灯９とが設けられている。本実施形態においては、指向性センサとしてコンデンサマイク７と光学式センサ８を設けている。
【００１１】
コンデンサマイク７は、接触センサでナースコールを行なった後、ナースコール装置の親機側にいる看護者と会話するために使用されるだけでなく、音量でナースコールを行なう音センサとしても使用できるほか、音圧の変化を検出するので、呼気を吹きかける圧力センサとしても機能する。光学式センサ８は、投光部８ａと受光部８ｂとを備え、被看護者の口元のわずかな動き検出するために使用される。確認灯９は、センサヘッド４に設けられたいずれかのセンサが信号を検出してナースコールされたことを、点灯することによって被看護者に報知する。
【００１２】
なお、本体２の上部２ａには、各センサの感度や検出時間を調整するボタン２ｂ及び調整されたセンサの感度や検出時間のレベルを表示する表示灯２ｃが配置されている。
【００１３】
マウント部５の端部５ａは、図２に示すように、フレキシブルアーム３の外径よりも小さくなっており、外周に沿って環状に形成された嵌合凸部５ｂと、外周面から半径方向に突出するマウント側係止部５ｃとが形成されている。また、嵌合凸部５ｂとフレキシブルアーム３に接合されている。
【００１４】
センサヘッド４は、フロントカバー４１とリアカバー４２との２分割部品によって外殻が構成されている。センサヘッド４の基端４ｃの内側には、嵌合凸部５ｂと嵌合する嵌合溝４ｄが形成されている。これにより、センサヘッド４は、フレキシブルアーム３の先端３ｂに設けられたマウント部５に対して回動可能となる。センサヘッド４がフレキシブルアーム３に対して回動可能であることによって、ナースコール子機１の本体２を移動させることなく、フレキシブルアーム３の先端３ｂを被看護者の口元に位置決めした状態、すなわち接触センサ６の検出面６ａを位置決めした状態で、胴部４ｂに設けられたコンデンサマイク７および光学式センサ８の検出部の向きを微調整することができる。したがって、コンデンサマイク７や光学式センサ８など指向性センサの感度をより安定した状態に設定しやすい。
【００１５】
マウント側係止部５ｃに対向するセンサヘッド４の内側には、センサヘッド４からマウント部５に向けてヘッド側係止部４ｅが形成されている。このヘッド側係止部４ｅは、嵌合溝４ｄと平行に設けられてマウント側係止部５ｃが嵌り込む案内溝４ｆを横切るように配置されている。したがって、センサヘッド４が１周回動するまでの間にヘッド側係止部４ｅとマウント側係止部５ｃとが当接する。これにより、センサヘッド４を同じ方向に回し過ぎることによってセンサヘッド４の中に内蔵されるセンサから本体２までの間を接続する信号線が撚れて捩じ切れることを防止することができる。
【００１６】
また、センサヘッド４とマウント部５との嵌合部の間、具体的には、フレキシブルアーム３に固定されているマウント部５の基部５ｄと嵌合凸部５ｂとの間に形成されるマウント溝５ｅには、Ｏリング１０が装着されている。Ｏリング１０の線径は、センサヘッド４の基端４ｃの縁４ｇとマウント溝５ｅとの間できる隙間の半径方向の寸法よりもやや太い。したがって、センサヘッド４は、マウント部５に対してがたつくことなく、センサヘッド４を任意の回転角度に回動された状態で保持される。なお、Ｏリング１０は、シリコーンゴム製のものを使用すると、潤滑性が良く、センサヘッド４を回動させるときの抵抗が少なくなる。また、ウレタン性のゴムを使用すると耐摩耗性が向上する。
【００１７】
なお、本実施形態において、ナースコール子機１は、センサヘッド４の嵌合溝４ｄおよび縁４ｇとマウント部５の嵌合凸部５ｂおよびマウント溝５ｅとを嵌合させて、センサヘッド４をフレキシブルアーム３に対して回動可能に支持しているが、マウント部５に向かってセンサヘッド４の基端４ｃの内側に断続的に凸部を形成し、マウント部５の外面にこれら凸部が嵌り込む溝を円環状に形成しても良い。また、マウント部５をセンサヘッド４に外嵌するように設けても良い。つまり、フレキシブルアーム３にセンサヘッド４が回動可能に支持され、先端４ａに設けられる接触センサ６の検出面６ａ位置決めした状態でセンサヘッド４の胴部４ｂに設けられた指向性センサの検出部の向きを調整できる構造を有するものとする。
【図面の簡単な説明】
【００１８】
【図１】本発明に係る一実施形態のナースコール子機を示す斜視図。
【図２】図１のアームとセンサヘッドとの連結部を示す分解斜視図。
【符号の説明】
【００１９】
１…ナースコール子機、２…本体、３…フレキシブルアーム、３ａ…基端、３ｂ…先端、４…センサヘッド、４ａ…先端、４ｄ…嵌合溝、４ｅ…ヘッド側係止部、５…マウント部、５ｂ…嵌合凸部、５ｃ…マウント側係止部、６…接触センサ、６ａ…検出面、７…コンデンサマイク（指向性センサ、圧力センサ、音センサ）、８…光学式センサ（指向性センサ）、Ａ…回動中心線。
【図１】
2005152046.tif 000003
【図２】
2005152046.tif 000004